(57)【要約】【課題】製作が簡便で、提供者に提供する情報と宛先との相関性を保ち、機密保持も可能な郵便物（印刷物）としての記録媒体、その作成方法及び作成プログラムを提供する。【解決手段】表面に画像が印刷され、その画像が印刷された領域に基づき、粘着層３及び剥離層４が裏面に形成されて前記画像が粘着層３と共に剥離可能とされた画像印刷領域２２と、表面又は裏面に宛先が印刷された宛先印刷領域２１とを有することを特徴とする。【選択図】図１
2004306336.tif 000002
【特許請求の範囲】
【請求項１】
表面に画像が印刷された画像印刷領域と、係る画像印刷領域に基づいて裏面に形成された粘着層及び剥離層と、表面又は裏面に宛先が印刷された宛先印刷領域とを有し、前記画像が前記粘着層と共に剥離可能とされたことを特徴とする記録媒体。
【請求項２】
前記画像印刷領域に印刷された画像の周縁部に沿って前記粘着層と共にダイカットされたことを特徴とする請求項１に記載の記録媒体。
【請求項３】
前記宛先が表面に印刷されたことを特徴とする請求項１乃至請求項３のいずれか一項に記載の記録媒体。
【請求項４】
画像情報及び係る画像情報に関連付けされた宛先情報を得る印刷情報入力工程と、
前記画像情報に基づく画像を記録媒体の表面の画像印刷領域に印刷し、前記宛先情報に基づく宛先を記録媒体の表面又は裏面の宛先印刷領域に印刷する印刷工程と、
前記記録媒体の裏面に粘着層を形成する粘着層形成工程と、
前記粘着層を介して剥離層を形成する剥離層形成工程と、
を有することを特徴とする記録媒体の作成方法。
【請求項５】
画像情報及び係る画像情報に関連付けされた宛先情報を得る印刷情報入力工程と、
記録媒体を封入するための封筒の寸法と前記封筒に設けられた透過窓との位置関係を特定する封筒情報取得工程と、
前記画像情報に基づく画像を記録媒体の表面の画像印刷領域に印刷し、前記封筒情報取得工程によって特定された前記封筒と前記透過窓との位置関係に基づき、前記透過窓から視認できるように宛先印刷領域を前記記録媒体の表面上又は裏面上に決定して、前記宛先情報に基づく宛先を前記宛先印刷領域に印刷する印刷工程と、
前記記録媒体の裏面に粘着層を形成する粘着層形成工程と、
前記粘着層を介して剥離層を形成する剥離層形成工程と、
を有することを特徴とする記録媒体の作成方法。
【請求項６】
前記画像印刷領域及び前記宛先印刷領域を１つの単位として、連続した複数単位を作成し、単位毎に切断する切断工程を有することを特徴とする請求項４又は請求項５に記載の記録媒体の作成方法。
【請求項７】
前記連続した複数単位は、前記画像印刷領域及び前記宛先印刷領域のそれぞれを隣接させたことを特徴とする請求項６に記載の記録媒体の作成方法。
【請求項８】
前記画像印刷領域に印刷された画像の周縁部に沿って前記粘着層と共にダイカットするダイカット工程を有することを特徴とする請求項４乃至請求項７のいずれか一項に記載の記録媒体の作成方法。
【請求項９】
前記印刷工程は、前記宛先を表面に印刷する工程であることを特徴とする請求項４乃至９のいずれか一項に記載の記録媒体の作成方法。
【請求項１０】
前記請求項５乃至１０のいずれか一項に記載の記録媒体の作成方法によって作成されたことを特徴とする記録媒体。
【請求項１１】
画像情報及び係る画像情報に関連付けされた宛先情報を得る印刷情報入力過程と、
前記画像情報に基づく画像を記録媒体の表面の画像印刷領域に印刷し、前記宛先情報に基づく宛先を記録媒体の表面又は裏面の宛先印刷領域に印刷する印刷過程と、
前記記録媒体の裏面に粘着層を形成する粘着層形成過程と、
前記粘着層を介して剥離層を形成する剥離層形成過程と、
をコンピュータに機能させることを特徴とする記録媒体の作成プログラム。
【請求項１２】
画像情報及び係る画像情報に関連付けされた宛先情報を得る印刷情報入力過程と、
記録媒体を封入するための封筒の寸法と前記封筒に設けられた透過窓との位置関係を特定する封筒情報取得過程と、
前記画像情報に基づく画像を記録媒体の表面の画像印刷領域に印刷し、前記封筒情報取得工程によって特定された前記封筒と前記透過窓との位置関係に基づき、前記透過窓から視認できるように宛先印刷領域を前記記録媒体の表面上又は裏面上に決定して、前記宛先情報に基づく宛先を前記宛先印刷領域に印刷する印刷過程と、
前記記録媒体の裏面に粘着層を形成する粘着層形成過程と、
前記粘着層を介して剥離層を形成する剥離層形成過程と、
をコンピュータに機能させることを特徴とする記録媒体の作成プログラム。
【請求項１３】
前記画像印刷領域及び前記宛先印刷領域を１つの単位として、連続した複数単位を作成し、単位毎に切断する切断過程をコンピュータに機能させることを特徴とする請求項１１又は請求項１２に記載の記録媒体の作成プログラム。
【請求項１４】
前記画像印刷領域及び前記宛先印刷領域のそれぞれを隣接させて印刷するようにコンピュータに機能させることを特徴とする請求項１３に記載の記録媒体の作成プログラム。
【請求項１５】
前記画像印刷領域に印刷された画像の周縁部に沿って前記粘着層と記録媒体とをダイカット装置にダイカットする指示をコンピュータに機能させることを特徴とする請求項１１乃至請求項１４のいずれか一項に記載の記録媒体の作成プログラム。
【請求項１６】
ダイカット装置に前記宛先を表面に印刷する指示をコンピュータに機能させることを特徴とする請求項１１乃至請求項１５のいずれか一項に記載の記録媒体の作成プログラム。
【発明の詳細な説明】
【０００１】
【発明の属する技術分野】
本発明は、提供者に提供する情報及び係る提供者の宛先を印刷した印刷物や、折りたたみ、粘着させることで形成される葉書としての記録媒体、その記録媒体の作成方法及び記録媒体の作成プログラムに関する。
【０００２】
【従来の技術】
従来より、提供者に提供する情報を印刷した記録媒体を被封入体として、封筒等に封入して郵送する場合、封筒毎に宛先を記入していた。また、直に宛先を封筒に記入せずとも、住所管理ソフト等、ＰＣ（パーソナルコンピュータ）上で実行できるソフトを用いて封筒に宛先を印刷したり、宛先シールを作成し、封筒に貼付したりしていた。
【０００３】
しかしながら、被封入体を封入する工程と、宛先を記入する工程とが別工程であるため、被封入体と宛先との関連性が損なわれる恐れがあった。
【０００４】
そのような問題を解決する発明として、記録媒体の同一面に宛先情報と提供者に提供する情報とを印刷した組み立て式の封筒が提案されている（例えば、特許文献１。）。
【０００５】
【特許文献１】
特開平７−３２９９８０号公報（段落［０００６］〜［０００８］、第１図）
【０００６】
【発明が解決しようとする課題】
しかしながら、特許文献１は、宛先情報と提供者に提供する情報とを同一面に印刷した記録媒体を組み立てて封筒を構成しているため、提供者に提供する情報が外部から見え、その情報が秘匿性を有する情報であった場合には採用できなかった。
【０００７】
本発明は、上記課題に鑑みてなされたものであって、その目的は、作成が簡便で、提供者に提供する情報と宛先との相関性を保ち、機密保持も可能な郵便物（印刷物）としての記録媒体、その作成方法及び作成プログラムを提供することである。
【０００８】
【課題を解決するための手段】
上記目的を達成するために、請求項１に記載の発明に係る記録媒体は、表面に画像が印刷された画像印刷領域と、係る画像印刷領域に基づいて裏面に形成された粘着層及び剥離層と、表面又は裏面に宛先が印刷された宛先印刷領域とを有し、前記画像が前記粘着層と共に剥離可能とされたことを特徴とする。
【０００９】
また、請求項２に記載の発明に係る記録媒体は、請求項１に記載の記録媒体において、前記画像印刷領域に印刷された画像の周縁部に沿って前記粘着層と共にダイカットされたことを特徴とする。
【００１０】
また、請求項３に記載の発明に係る記録媒体は、請求項１又は請求項２に記載の記録媒体において、前記宛先が表面に印刷されたことを特徴とする。
【００１１】
また、請求項４に記載の発明に係る記録媒体の作成方法は、画像情報及び係る画像情報に関連付けされた宛先情報を得る印刷情報入力工程と、前記画像情報に基づく画像を記録媒体の表面の画像印刷領域に印刷し、前記宛先情報に基づく宛先を記録媒体の表面又は裏面の宛先印刷領域に印刷する印刷工程と、前記記録媒体の裏面に粘着層を形成する粘着層形成工程と、前記粘着層を介して剥離層を形成する剥離層形成工程とを有することを特徴とする。
【００１２】
また、請求項５に記載の発明に係る記録媒体の作成方法は、画像情報及び係る画像情報に関連付けされた宛先情報を得る印刷情報入力工程と、記録媒体を封入するための封筒の寸法と前記封筒に設けられた透過窓との位置関係を特定する封筒情報取得工程と、前記画像情報に基づく画像を記録媒体の表面の画像印刷領域に印刷し、前記封筒情報取得工程によって特定された前記封筒と前記透過窓との位置関係に基づき、前記透過窓から視認できるように宛先印刷領域を前記記録媒体の表面上又は裏面上に決定して、前記宛先情報に基づく宛先を前記宛先印刷領域に印刷する印刷工程と、前記記録媒体の裏面に粘着層を形成する粘着層形成工程と、前記粘着層を介して剥離層を形成する剥離層形成工程とを有することを特徴とする。
【００１３】
また、請求項６に記載の発明に係る記録媒体の作成方法は、請求項４又は請求項５に記載の記録媒体の作成方法において、前記画像印刷領域及び前記宛先印刷領域を１つの単位として、連続した複数単位を作成し、単位毎に切断する切断工程を有することを特徴とする。
【００１４】
また、請求項７に記載の発明に係る記録媒体の作成方法は、請求項６に記載の記録媒体の作成方法において、前記連続した複数単位は、前記画像印刷領域及び前記宛先印刷領域のそれぞれを隣接させたことを特徴とする。
【００１５】
また、請求項８に記載の発明に係る記録媒体の作成方法は、請求項４乃至請求項７のいずれか一項に記載の記録媒体の作成方法において、前記画像印刷領域に印刷された画像の周縁部に沿って前記粘着層と共にダイカットするダイカット工程を有することを特徴とする。
【００１６】
また、請求項９に記載の発明に係る記録媒体の作成方法は、請求項４乃至９のいずれか一項に記載の記録媒体の作成方法において、前記印刷工程は、前記宛先を表面に印刷する工程であることを特徴とする。
【００１７】
また、請求項１０に記載の発明に係る記録媒体は、前記請求項５乃至１０のいずれか一項に記載の記録媒体の作成方法によって作成されたことを特徴とする。
【００１８】
また、請求項１１に記載の発明に係る記録媒体の作成プログラムは、画像情報及び係る画像情報に関連付けされた宛先情報を得る印刷情報入力過程と、前記画像情報に基づく画像を記録媒体の表面の画像印刷領域に印刷し、前記宛先情報に基づく宛先を記録媒体の表面又は裏面の宛先印刷領域に印刷する印刷過程と、前記記録媒体の裏面に粘着層を形成する粘着層形成過程と、前記粘着層を介して剥離層を形成する剥離層形成過程とをコンピュータに機能させることを特徴とする。
【００１９】
また、請求項１２に記載の発明に係る記録媒体の作成プログラムは、画像情報及び係る画像情報に関連付けされた宛先情報を得る印刷情報入力過程と、記録媒体を封入するための封筒の寸法と前記封筒に設けられた透過窓との位置関係を特定する封筒情報取得過程と、前記画像情報に基づく画像を記録媒体の表面の画像印刷領域に印刷し、前記封筒情報取得工程によって特定された前記封筒と前記透過窓との位置関係に基づき、前記透過窓から視認できるように宛先印刷領域を前記記録媒体の表面上又は裏面上に決定して、前記宛先情報に基づく宛先を前記宛先印刷領域に印刷する印刷過程と、前記記録媒体の裏面に粘着層を形成する粘着層形成過程と、前記粘着層を介して剥離層を形成する剥離層形成過程とをコンピュータに機能させることを特徴とする。
【００２０】
また、請求項１３に記載の発明に係る記録媒体の作成プログラムは、請求項１１又は請求項１２に記載の記録媒体の作成プログラムにおいて、前記画像印刷領域及び前記宛先印刷領域を１つの単位として、連続した複数単位を作成し、単位毎に切断する切断過程をコンピュータに機能させることを特徴とする。
【００２１】
また、請求項１４に記載の発明に係る記録媒体の作成プログラムは、請求項１３に記載の記録媒体の作成プログラムにおいて、前記画像印刷領域及び前記宛先印刷領域のそれぞれを隣接させて印刷するようにコンピュータに機能させることを特徴とする。
【００２２】
また、請求項１５に記載の発明に係る記録媒体の作成プログラムは、請求項１１乃至請求項１４のいずれか一項に記載の記録媒体の作成プログラムにおいて、前記画像印刷領域に印刷された画像の周縁部に沿って前記粘着層と記録媒体とをダイカット装置にダイカットする指示をコンピュータに機能させることを特徴とする。
【００２３】
また、請求項１６に記載の発明に係る記録媒体の作成プログラムは、請求項１１乃至請求項１５のいずれか一項に記載の記録媒体の作成プログラムにおいて、ダイカット装置に前記宛先を表面に印刷する指示をコンピュータに機能させることを特徴とする。
【００２４】
【発明の実施の形態】
（第１の実施形態）
以下に、本発明に係る記録媒体、記録媒体の作成方法及び記録媒体の作成プログラムの第１の実施形態について図面を参照して説明する。図１は、本発明に係る記録媒体の第１の実施形態における構成を示す上面図（ａ）及び断面図（ｂ）であり、断面図（ｂ）は、上面図（ａ）のＡ−Ａ断面図である。尚、本実施形態では説明の都合上、図１（ｂ）に見られるような断面図は厚さ方向の尺度を拡大している。
【００２５】
図１（ａ）に示すように、印刷用紙や印画紙等の記録媒体２は、宛先が印刷される領域である宛先印刷領域２１と、画像が印刷される領域である画像印刷領域２２とが同一面上に形成されており、宛先印刷領域２１と画像印刷領域２２との間には、記録媒体２を折り曲げるための折曲部２３が設けられている。また、画像印刷領域２２に印刷された各印刷画像は、それぞれの周縁部をダイカット線としてダイカット加工がなされている。
【００２６】
次に、図１（ｂ）に示すように、画像印刷領域２２が形成された記録媒体２の裏面には、粘着層３及び剥離層４が形成されている。ここで、記録媒体２の裏面とは、記録媒体２において宛先及び画像が印刷される面を表面とした場合の裏面を指し、以下の説明において、「裏面」とは、宛先及び画像が印刷される面と反対側の面を指すこととする。また、粘着層３には両面テープ等が用いられ、剥離層４としては、前記両面テープが容易に剥離可能な光沢のあるシートが採用される。すなわち、画像印刷領域２２に印刷された印刷画像は、所謂シールシートの態様をなすものである。ダイカット線２４は、前述したように、印刷画像の周縁部に沿って、記録媒体２及び粘着層３を部分的に切断する態様で形成される。本実施形態では、宛先印刷領域２１、画像印刷領域２２及び折曲部２３が形成されてなる記録媒体を１単位として取り扱う。
【００２７】
図２は、本発明に係る記録媒体の一実施形態における被封入体としての記録媒体と封筒との関係を示す図であり、図２（ａ）は、宛先印刷領域が形成された面と封筒との関係を示す図であり、図２（ｂ）は、画像印刷領域側の面と封筒との関係を示す図である。
【００２８】
図２（ａ）に示すように、封筒１の表面には被封入体を視認できる透過窓１１が形成されている（以下、封筒１において、透過窓１１が形成された面を表面、その反対側の面を裏面とする。）。記録媒体２は、折曲部２３にて２つ折にされ、封筒１の表面と記録媒体２の宛先印刷領域２１とが同一方向となるように、封筒１に封入される。
【００２９】
ここで、宛先印刷領域２１に印刷される宛先は、記録媒体２が封筒１に封入されたときに透過窓１１を介して視認できる位置に印刷されている。これは、封筒１の規格及び封筒１における透過窓１１の大きさや形成位置が予めわかっている場合に、例えば、封筒１の下端部から透過窓１１の下端部への距離と折曲部２３から宛先印刷領域２１の下端部への距離を等しくすると共に、透過窓１１が形成されている領域と宛先印刷領域２１とが等しい面積となるように、宛先印刷領域２１が形成されている。
【００３０】
また、図２（ｂ）に示すように、記録媒体２を折曲部２３にて折曲し、前述のように封入することによって、記録媒体２における画像印刷領域が形成された面は、封筒１の裏面と同一方向となる。
【００３１】
次に、本実施形態における記録媒体の作成方法について図面を参照して以下に説明する。本発明に係る記録媒体の作成方法は、図１及び図２に示すような１単位の記録媒体２を作成するにあたり、記録媒体２の原紙として枚葉紙（シート）を採用する場合やロール紙を採用する場合が挙げられるが、ここでは、ロール紙を採用した場合の記録媒体の作成方法について説明する。
【００３２】
図３は、本実施形態において記録媒体を作成するためのシステムの構成を示す図である。図４は、本実施形態における記録媒体の作成方法を示すフローチャートである。まず、図３に示すように、本発明に係る記録媒体を作成するためのシステムは、原紙としてロール形状をなす記録媒体２を格納するロール紙カセット１０１ａと、記録媒体２に宛先情報及び画像情報を印刷する印刷装置１０１と、記録媒体２に印刷する宛先情報及び画像情報を印刷装置１０１に提供する端末１００と、印刷装置１０１から連続体として搬送されてきた記録媒体２の裏面（宛先情報及び画像情報が印刷されていない面）の所定の領域に粘着層及び剥離層を形成する両面テープ貼付装置１０２と、粘着層及び剥離層が裏面に形成され、連続体として両面テープ貼付装置１０２から搬送されてきた記録媒体２を１単位毎に裁断する裁断装置１０３とを有する。
【００３３】
ここで、前記端末１００は、宛先情報及び画像情報を確認するための表示手段、宛先情報及び画像情報を記憶する記憶手段及び係る記憶手段から必要な宛先情報及び画像情報を抽出し、前記表示手段に表示させると共に、表示された中から選択された宛先情報及び画像情報を印刷装置１０１に送信し、印刷指示を行う機能を備えている。
【００３４】
また、両面テープ貼付装置１０２によって形成される粘着層及び剥離層は、具体的には、連続体としての記録媒体２の裏面における所定の領域に、一方の面に剥離紙（剥離層）が貼付された両面テープ（粘着層）の他方の面を貼付することによって形成される。さらに、必要に応じて、記録媒体２に対してダイカットするダイカット装置が設けられる。
【００３５】
次に、このようなシステムを用いた記録媒体の作成方法について、図４を参照して説明する。
【００３６】
（封筒情報・記録媒体情報の取得：Ｓ１）
まず、作成する記録媒体を封入する封筒の所要として、封筒のサイズ及び透過窓の形成位置に関する情報を端末１００の入力手段から入力する。これは例えば、スキャナ等の他の入力手段を用いて、当該封筒の表面をスキャニングし、封筒のサイズ及び透過窓の形成位置に関する情報を得てもよい。
【００３７】
次に、封筒のサイズ、特に外形寸法に対する透過窓の形成位置を特定し、その関係を記録媒体２に反映させることで、宛先印刷領域の特定が行われる。具体的には、折曲部にて２つ折にして封筒にちょうど収納される大きさの記録媒体を作成する場合に、封筒の下面部を基準にした透過窓の設置位置と同様に、折曲部を基準にした記録媒体における宛先印刷領域の特定が行われる。
【００３８】
（宛先情報の取得：Ｓ２）
次に、端末１００の入力手段（図示せず）を用いることにより、宛先に関する情報が印刷装置１０１に送信される。ここでいう宛先に関する情報とは、記録媒体が宛先に到達するための情報であり、具体的には、記録媒体の受け取り先（画像等の提供先）の住所（所在地）、その住所（所在地）を特定する郵便番号及び記録媒体の受取人の氏名である。尚、必要に応じて他の情報が含まれてもよいが、記録媒体が宛先に到達するための情報又は非秘匿性の情報である必要がある。また、前記入力手段は、例えば作業者が用いるキーボード等であるが、端末１００に接続された入力装置でもよい。さらに、入力された宛先に関する情報は、後述する画像情報に関連付けられるなどして、端末１００に設けられた記憶手段（図示せず）に記憶されることが望ましい。
【００３９】
（画像情報の取得：Ｓ３）
次に、端末１００の入力手段（図示せず）を用いることにより、画像に関する情報が印刷装置１０１に送信される。ここでいう画像に関する情報とは、前記受取人に提供する情報としての画像情報である。
【００４０】
（印刷工程：Ｓ４）
次に、前記宛先に関する情報及び画像に関する情報を取得した印刷装置による印刷工程について説明する。
【００４１】
印刷装置１０１は、端末１００から送信された宛先情報及び係る宛先情報に関連付けられた画像情報をロール紙カセット１０１ａから引き出された記録媒体２に順次印刷する。このロール紙である記録媒体２に対して印刷される態様は、印刷時の記録媒体２の上面図である図５に示すように、宛先印刷領域２１と画像印刷領域２２とからなる単位毎の記録媒体をそれぞれ同一方向に印刷するのではなく、相互に隣接する単位の宛先印刷領域及び相互に隣接する単位の画像印刷領域同士が連結されるように印刷する。
【００４２】
このように印刷することによって、図５のＢ−Ｂ断面図である図６に示すように、後工程で画像印刷領域の裏面に形成される粘着層３及び剥離層４の形成に煩雑さを生じないので、粘着層形成工程及び剥離層形成工程が簡便になると共に、単位毎に同一方向に印刷する場合に比べ、宛先印刷領域と、その宛先に関連する画像印刷領域との組み合わせが明瞭になるので、画像情報を送付するべき提供者の宛先を誤ることがない。
【００４３】
（粘着層形成工程及び剥離層形成工程：Ｓ５）
その後、記録媒体２の裏面に粘着層及び剥離層を形成するが、これら粘着層及び剥離層は、記録媒体２の表面における画像印刷領域に対応して形成される。すなわち、図６に示すように、画像印刷領域の裏側には、粘着層及び剥離層が形成されることとなる。具体的な粘着層及び剥離層が形成は、連続体としての記録媒体２の裏面における所定の領域に、一方の面に剥離紙（剥離層）が貼付された両面テープ（粘着層）の他方の面を貼付することによってなされる。
【００４４】
（ダイカット工程）
このようにして、画像印刷領域の裏側に粘着層及び剥離層が形成された後、画像印刷領域に印刷された印刷画像に対して、ダイカットが必要か否かを作業者に選択させる余地を与える。ダイカットが必要か否かとは、所謂プリントシールのように、印刷画像にシール機能を持たせる必要があるか否か、又は本発明に係る記録媒体を被封入体として封筒に収納される記録媒体としてではなく、そのまま郵便物として用いるか否かを選択させることを意味する。
【００４５】
ダイカットが必要か否かを選択させ、ダイカットが必要である場合（Ｓ６−Ｙｅｓ）には、ダイカット工程（Ｓ７）が行われる。このダイカット工程は、印刷画像にシール機能を持たせる場合においては、印刷画像の周縁部をダイカット線として記録媒体２及び粘着層３に切り込みを形成する工程であり、本発明の記録媒体を被封入体ではなく、そのまま葉書等の郵便物として作成する場合には、画像印刷領域の周縁部から所定の距離内側に設定した境界線をダイカット線として、記録媒体２及び粘着層３に切り込みを形成する工程であり、本発明の第２の実施形態として後述する。
【００４６】
（裁断工程：Ｓ８）
その後、単位毎に方向を互い違いにして連続して印刷された記録媒体を各々裁断する裁断工程が行われる。この裁断工程は、図５に示すように、一の単位の画像印刷領域と他の単位の画像印刷領域との間や、一の単位の宛先印刷領域と他の単位の宛先印刷領域との間を裁断線として、記録媒体、粘着層及び剥離層を図３に示す裁断装置１０３を用いて裁断する工程である。尚、ダイカット工程の要否を選択させたときに、ダイカットが不要であると選択された場合（Ｓ７−Ｎｏ）には、ダイカット工程は行わずに、粘着層・剥離層形成工程後に裁断工程が行われる。このようにして個々に切り分けられた記録媒体２に対して、郵送物としての形態に応じ、組立工程又は封緘工程が行われる。
【００４７】
ここで、郵送物としての形態とは、前述したように、本発明に係る記録媒体を被封入体として封筒に収納される記録媒体として用いるか、そのまま組み立てて葉書等の郵便物として用いるかのいずれかの形態を意味し、ダイカット工程を行ったか、及びどのようなダイカット工程を行ったかによって分別される。
【００４８】
（封緘工程：Ｓ９）
封緘工程は、ダイカット工程を選択しなかったか、又はダイカット工程として、印刷画像の周縁部をダイカット線として記録媒体２及び粘着層３に切り込みを形成する工程を採用した場合に行われる工程であり、裁断工程によって個々に切り分けられた記録媒体２を封筒１に封緘して本発明に係る記録媒体は郵便物としての郵送可能となる。
【００４９】
次に、本発明の第１の実施形態における記録媒体の作成プログラムについて図面を参照して以下に説明する。本実施形態における記録媒体の作成プログラムは、インターネット等のネットワーク回線を介して提供されたり、ＣＤ−ＲＯＭ等に記録されて使用者に提供されるものである。図７は、本実施形態における記録媒体の作成プログラムの動作を示すフローチャートである。
【００５０】
（封筒情報・記録媒体情報の取得：Ｓ１１）
まず、作成する記録媒体を封入する封筒の所要として、封筒のサイズ及び透過窓の形成位置に関する情報を使用者が用いる端末（以下、使用者端末とする）の入力手段から入力する。これは例えば、スキャナ等の他の入力手段を用いて、当該封筒の表面をスキャニングし、封筒のサイズ及び透過窓の形成位置に関する情報を得てもよい。
【００５１】
次に、封筒のサイズ、特に外形寸法に対する透過窓の形成位置を特定し、その関係を記録媒体２に反映させることで、宛先印刷領域の特定が行われる。具体的には、折曲部にて２つ折にして封筒にちょうど収納される大きさの記録媒体を作成する場合に、封筒の下面部を基準にした透過窓の設置位置と同様に、折曲部を基準にした記録媒体における宛先印刷領域の特定が行われる。
【００５２】
また、予め用意された記録媒体２の原紙には裏面に粘着層及び剥離層が形成され、ダイカットがなされているものとする。ここで、前記粘着層及び剥離層が所定の領域で記録媒体２の原紙の裏面に形成されている場合には、前記封筒情報の取得と同様に、記録媒体情報の取得として、使用者端末やそれに接続されたスキャナ等の入力手段により取得される。
【００５３】
（宛先情報の取得：Ｓ１２）
次に、使用者端末の入力手段を用いることにより、宛先に関する情報が印刷装置に送信される。ここでいう宛先に関する情報とは、記録媒体が宛先に到達するための情報であり、具体的には、記録媒体の受け取り先（画像等の提供先）の住所（所在地）、その住所（所在地）を特定する郵便番号及び記録媒体の受取人の氏名である。尚、必要に応じて他の情報が含まれてもよいが、記録媒体が宛先に到達するための情報又は非秘匿性の情報である必要がある。また、前記入力手段は、例えば使用者が用いるキーボード等であるが、使用者端末に接続された入力装置でもよい。
【００５４】
（画像情報の取得：Ｓ１３）
次に、使用者端末の入力手段を用いることにより、画像に関する情報が印刷装置に送信される。ここでいう画像に関する情報とは、前記受取人に提供する情報としての画像情報である。
【００５５】
（印刷：Ｓ１４）
次に、前記宛先に関する情報及び画像に関する情報を取得した印刷装置による印刷過程について説明する。ここで、記録媒体の原紙として枚葉紙が使用されることとして説明する。
【００５６】
まず、前述のようにして取得した封筒情報・記録媒体情報に基づいて、記録媒体上の宛先印刷領域を特定し、宛先情報を印刷する。
【００５７】
その後、印刷装置は、使用者端末から送信された宛先情報及び係る宛先情報に関連付けられた画像情報を記録媒体２に印刷する。このとき、画像情報を印刷する領域は、記録媒体情報として予め得られた粘着層及び剥離層、特にダイカットがなされている形成領域に従って特定される。
【００５８】
（作成記録：Ｓ１５）
このようにして作成された記録媒体２は、提供者がはさみ等を用いて印刷画像を裁断可能な形態で、郵便物としての郵送可能な記録媒体２として完成する。また、作成された記録媒体２の宛先に関する情報は、その情報に関連する画像情報と共に使用者端末に設けられた記憶手段に履歴情報として記憶される。
【００５９】
図８及び図９は、本発明に係る記録媒体の他の実施形態における構成を示す図であり、図８（ａ）、（ｂ）は折曲部が設定されていない場合、図９（ａ）、（ｂ）は折曲部が設定されている場合である。
【００６０】
上記本発明の第１の実施形態の説明では、宛先印刷領域２１と画像印刷領域２２とを折曲部２３において分割したが、図８及び図９に示すように、折曲部２３を境界として明確に分割しなくても、記録媒体２全体に画像が印刷され、その所定の領域に宛先印刷領域２１が確保されるようにしてもよい。すなわち、宛先印刷領域２１を必要最小限度で確保し、記録媒体２におけるその他の領域を画像印刷領域２２としてもよい。
【００６１】
さらにその変形例として、図１０に示すように、折曲部を設けることなく（記録媒体２を折り曲げることなく）、前述の画像印刷領域２２を画像及び広告等文字情報を印刷する領域としてもよい。すなわち、記録媒体２を画像のみが印刷される画像印刷領域２２ａと、広告等文字情報が印刷される画像印刷領域２２ｂ及び宛先印刷領域２１とに分割するようにしてもよい。このように、宛先が印刷された領域の周囲に広告等が印刷されることにより、宛先ごとにカスタマイズしたものを印刷することが可能であり、顧客別マーケッティングが可能である。また、注文番号等の文字情報を入れることでは、製造工程の管理に利用することが可能である。
【００６２】
また、本発明の他の実施形態を示す図１１（ａ）及び（ｂ）のように、封筒１の寸法に比して記録媒体２の寸法が小さい場合等には、封筒の短辺（ａ）や封筒１の長辺（ｂ）に沿って封筒１の内部を封止する封止領域１２が形成されてもよい。ここで、封止領域１２は、記録媒体２に印刷された宛先印刷領域２１が透過窓１１から視認可能なように形成されるものとする。
【００６３】
（第２の実施形態）
次に、本発明の第２の実施の形態について図面を参照して以下に説明する。但し、本実施形態の説明においては、前述の第１の実施形態との相違点について説明し、重複する記載については省略する。
【００６４】
図１２は、本発明に係る記録媒体の第２の実施形態における構成を示す図であり、図１２（ｂ）は、図１２（ａ）のＣ−Ｃ断面図である。図１２（ａ）、（ｂ）に示すように、本実施形態における記録媒体２は、宛先印刷領域２１と画像印刷領域２２とが同一面に形成されている。また、裏面に粘着層３及び剥離層４が形成された画像印刷領域２２の周りの所定領域は記録媒体２が剥離されて、粘着層３が露出している。さらに、宛先印刷領域２１と画像印刷領域２２との間には記録媒体２を貫通させた開口部２５が設けられている。この開口部２５は、２つの折曲部２３によって折曲された記録媒体２において、前記露出した粘着層３が宛先印刷領域２１の裏面に貼付されるように形成される。このように、開口部２５を有する領域を記録媒体２に設けることにより、開口部２５が形成された領域を必要なメモ等の情報が記載された領域として確保できるので、組み立ても簡単で、情報量の多い記録媒体を提供することができる。
【００６５】
また、図１３は、本発明に係る記録媒体の第２の実施形態における作成方法を示すフローチャートである。本実施形態における作成方法は、前述した第１の実施形態の作成方法におけるダイカット工程の工程内容を変更し、封緘工程を組立工程に替えたもので、図１３のＳ１〜Ｓ８は、図４のＳ１〜Ｓ８と同様の方法である。
【００６６】
（ダイカット工程：Ｓ１０）
本実施形態におけるダイカット工程は、印刷画像の周縁部をダイカット線２４としてダイカットすると共に、画像印刷領域２２の周縁部から所定の距離内側に設定した境界線をダイカット線２４として、記録媒体２及び粘着層３に切り込みを形成する工程である。
（組立工程：Ｓ１０）
組立工程は、ダイカット工程として、画像印刷領域の周縁部から所定の距離内側に設定した境界線をダイカット線として、記録媒体２及び粘着層３に切り込みを形成する工程を採用した場合に行われる工程である。
【００６７】
さらに、本実施形態をプログラムとして提供する場合には、郵送物としての形態に応じ、記録媒体に対して組立過程又は封緘工程が行われる余地が設けられてもよい。ここで、郵送物としての形態とは、前述したように、本発明に係る記録媒体を被封入体として封筒に収納される記録媒体として用いるか、そのまま組み立てて葉書等の郵便物として用いるかのいずれかの形態を意味し、ダイカット工程を行ったか、及びどのようなダイカット工程を行ったかによって分別される形態であり、例えば、組立てて葉書等の郵便物として用いる場合には、組み立てるための構造として開口部２５の作成を補助する過程を機能させることが望ましい。
【００６８】
【発明の効果】
以上説明したように本発明によれば、粘着層及び剥離層を有する記録媒体に画像情報及び宛先情報を印刷したので、作成が簡便で、提供者に提供する画像情報と宛先との相関性を保つ郵便物としての記録媒体を提供することができる。また、前記粘着層を用いて前記記録媒体を組み立てて機密保持も可能な郵便物としての記録媒体を提供することができる。
【図面の簡単な説明】
【図１】本発明に係る記録媒体の第１の実施形態における構成を示す上面図及び断面図。
【図２】本発明に係る記録媒体の実施形態を示す斜視図。
【図３】本発明に係る記録媒体の作成方法を行うための構成を示すブロック図。
【図４】本発明に係る記録媒体の作成方法の一実施形態を説明するためのフローチャート。
【図５】本発明の第１の実施形態における連続した記録媒体の構成を示す上面図。
【図６】本発明の第１の実施形態における連続した記録媒体の構成を示す断面図。
【図７】本発明に係る記録媒体の作成プログラムの第１の実施形態を説明するためのフローチャート。
【図８】本発明に係る記録媒体の他の実施形態における構成を示す上面図及び斜視図。
【図９】本発明に係る記録媒体の他の実施形態における構成を示す上面図及び斜視図。
【図１０】本発明に係る記録媒体の他の実施形態における構成を示す図。
【図１１】本発明に係る記録媒体の他の実施形態における構成を示す図。
【図１２】本発明に係る記録媒体の他の実施形態における構成を示す斜視図及び断面図。
【図１３】本発明に係る記録媒体の作成方法の第２の実施形態を説明するためのフローチャート。
【符号の説明】
１  封筒
２  記録媒体
３  粘着層
４  剥離層
１１  透過窓
１２  封止領域
２１  宛先印刷領域
２２  画像印刷領域
２３  折曲部
２４  ダイカット線
２５  開口部
１０１  印刷装置
１０２  両面テープ貼付装置
１０３  裁断装置
【図１】
2004306336.tif 000003
【図２】
2004306336.tif 000004
【図３】
2004306336.tif 000005
【図４】
2004306336.tif 000006
【図５】
2004306336.tif 000007
【図６】
2004306336.tif 000008
【図７】
2004306336.tif 000009
【図８】
2004306336.tif 000010
【図９】
2004306336.tif 000011
【図１０】
2004306336.tif 000012
【図１１】
2004306336.tif 000013
【図１２】
2004306336.tif 000014
【図１３】
2004306336.tif 000015